(57)【要約】【課題】アンテナコイルの長さを十分に長くして記録再生装置側とＩＣ部とのクリアな送受信を可能とする非接触式メモリ内蔵記録媒体カセットを提供する。【解決手段】記録媒体カセット１０側には、ＩＣ部５７と、別体設置のアンテナ部の送受信信号を授受する端子５９Ｔ１とを備えるようにし、またその記録媒体カセット１０を収容するカセットケース６０側には、アンテナ部５８と、このアンテナ部５８の送受信信号を授受する端子５９Ｔ２とを備え、前記端子５９Ｔ１と５９Ｔ２どうしを接触させるようにした。【選択図】　図１
2004103082.tif 000002
【特許請求の範囲】
【請求項１】
記録媒体が収容された記録媒体カセットであって、情報記憶および信号処理を行うＩＣ部を有する非接触式メモリを備えた記録媒体カセットにおいて、当該記録媒体カセットとは別体に設けられたアンテナ部の送受信信号を授受する端子を備えたことを特徴とする記録媒体カセット。
【請求項２】
記録媒体が収容されかつ情報記憶および信号処理を行うＩＣ部を有する非接触式メモリを備えた記録媒体カセットを収容するためのカセットケースにおいて、アンテナ部と、該アンテナ部の送受信信号を授受する端子とを備えたことを特徴とするカセットケース。
【発明の詳細な説明】
【０００１】
【発明の属する技術分野】
本発明は、磁気テープ、磁気ディスク等の磁気式記録媒体、光磁気ディスク、光ディスク等の光学式記録媒体などを内蔵してなる記録媒体カセット、例えば磁気テープカセットや磁気テープカセット等の記録媒体カセット、およびこの記録媒体カセットを収容するカセットケースとから成るケース収納式カセットに関するもので、特に、情報記憶および信号処理を行うＩＣ部と信号の送受信を行うアンテナ部とを有する非接触式メモリを備えたケース収納式カセットに関する。
【０００２】
【従来の技術】
従来から、デジタル信号を高密度で記録することができる小型軽量の磁気テープカセットや磁気テープカセットが知られている。例えば、アナログ信号である音声信号をデジタル信号、例えばＰＣＭ信号に変換して記録および／または再生するための磁気テープカセットとしてＤＡＴ（Ｄｉｇｉｔａｌ　Ａｕｄｉｏ　Ｔａｐｅ）が知られている。
また、コンピュータのデータを記録するための、小型の磁気テープカセットや磁気テープカセットとしては、例えば、ＪＩＳＸ６１２７（１９９２），ＪＩＳＸ６１２９（１９９３），ＪＩＳＸ６１３０（１９９６），ＪＩＳＸ６１４１（１９９３）などにその構造，寸法諸元が規定されているものが知られている。
【０００３】
このように、コンピュータ等の外部記憶手段として、例えば、外部記憶装置に用いられる記録媒体等として、特に、コンピュータメモリのバックアップ用の記録媒体として用いられている記録媒体カセットには、単一のリールに磁気テープを巻装し、このリールをカセットケース内に回転自在に収容した１リールタイプのもの、カセットケース内に単一の磁気ディスク（または光磁気ディスク）が回転可能に収容されたタイプのもの、磁気テープを巻回した一対の巻取りハブを収容するタイプのもの（例えば、上述したＪＩＳ　Ｘ６１４１等にその構造、寸法諸元が規定されている開口部を有するタイプのものを含む）など、各種の磁気テープカセットあるいは磁気テープカセットや磁気（または光磁気）ディスクカセット等が知られている。
これらの磁気テープカセット等の記録媒体カセットは、例えば、コンピュータ等のデータ保存用として用いられ、重要な情報が記録されている。
【０００４】
このような磁気テープカセット等の記録媒体カセットには、種々の情報が記録されているが、磁気テープや磁気ディスクや光磁気ディスクや光ディスク等からこれらに記録された情報自体を読み出すことなく、記録されている情報の内容や磁気テープ等の種類などを特定するために、磁気テープ等とは別に、カセットケースに非接触で情報の書き込みや読み出しができる、カセットメモリ（ＣＭ）と呼ばれるＩＣチップ化されたＩＣメモリを用いる非接触式メモリを取り付けることが考えられ、実用化が進められている。
このようなカセットメモリの取り付けは、ドライブの設計のバリエーションを拡大することやこのカセットメモリへのゴミの付着や外部からの衝撃に対する保護の観点から、カセット内部に取り付ける内蔵タイプとされている（例えば、特許文献１参照）。
【０００５】
【特許文献１】
特開２００２−８３４８２号公報（例えば、第１図）。
【０００６】
特許文献１に記載されたカセットメモリは、磁気テープ等の記録媒体以外に情報を記録できるものであり、情報の記憶および信号処理を行うＩＣ部（ＩＣメモリ）と、信号の送受信を行うアンテナ部とを有し、端子等の接続なく非接触でＩＣ部に情報の書き込みや読み出しをすることができるものである。このカセットメモリ自体は無電源であり、磁気情報の記録再生装置側に配置される信号の読取書込手段またはその信号送受信手段であるアンテナから出力された信号を利用して、電磁誘導された誘導電流を用いる電磁誘導方式で動作し、電気信号で情報が記録される。
【０００７】
まず、本発明が適用される非接触メモリを使用した対象の１例として、特許文献１に記載された各種例の中から、まず記録媒体カセットについて図２を用いて簡単に説明する。図２は磁気テープカートリッジの一例の概略構成を斜視分解図として示す。この磁気テープカートリッジ（以下、カートリッジとする）１０は、ＪＩＳＸ６１２７（１９９２）、同６１２９（１９９３）、同６１３０（１９９６）、同６１４１（１９９３）あるいはＥＣＭＡ−２８８等で、その構造，寸法諸元が規定されている、公知の磁気テープカートリッジ（または、磁気テープカセットとも呼ばれている）を、その基本的な構成とするものであって、主に、上ハーフ（上ケース）１１および下ハーフ（下ケース）１２と、両ハーフ１１，１２によって形成される筐体（カートリッジケース）内の所定位置において両ハーフ１１，１２に回転自在に軸支される供給側の巻取ハブ１４ａおよび巻取側の巻取ハブ１４ｂと、両ハーフ１１，１２の間に収容され、両巻取ハブ１４ａ、１４ｂに巻回される記録媒体としての磁気テープ１６とから構成される。
【０００８】
このようなカートリッジ１０においては、上ハーフ１１の前面側（デッキへのテープ供給側）には、カートリッジ１０の非使用時に磁気テープ１６を覆って保護する前蓋（リッド）１８が、支軸１８ａを中心に回転可能に取り付けられている。また、下ハーフ１２の図中下面（以下、下面とする）には、下ハーフ１２に形成される穴等の開放部分を塞いで密閉性を高めるためのスライダ２０が、下ハーフ１２下面に摺動して前面〜背面方向（以下、これを前後方向、直交する方向を左右（横）方向とする）に移動可能に係合される。すなわち、下ハーフ１２の外側下面には、ケース下側の開放部分を塞いで密閉性を高めるため、スライダ２０が前後方向摺動可能に取り付けられている。
【０００９】
カートリッジ１０には、非使用時に巻取ハブ１４ａ，１４ｂに巻回された磁気テープ１６が弛むのを防止するために、上ハーフ１１にブレーキ部材２２が付設されている。ブレーキ部材２２は、２つの制動片２２ａ，２２ｂを有し、制動片２２ａを巻取ハブ１４ａの上部に設けられた歯車１５ａに、制動片２２ｂを巻取ハブ１４ｂの上部に設けられた歯車１５ｂに、それぞれ係合させることにより、両巻取ハブ１４ａ、１４ｂの回転を止め（禁止し）、磁気テープ１６の弛みを防止する。ブレーキ部材２２は、上ハーフ１１に設けられた突起１１ａに係止されているブレーキバネ２４によって、背面方向に付勢されており、カートリッジ非使用時には、制動片２２ａ，２２ｂを歯車１４ａ，１４ｂに係合する位置に移動している。他方、カートリッジの使用時には、ブレーキ部材２２は、前蓋１８によって前方向に移動され、歯車１４ａ，１４ｂとの係合を開放して、巻取ハブ１４ａ，１４ｂが回転可能となる。
【００１０】
下ハーフ１２の長方形状の底板１２ａは、カートリッジ使用時にカートリッジケース内にデッキのリール軸を挿入するためのリール軸挿入孔１２ｂ，１２ｂ、左右両端から前方に伸びる張出部１２ｃ，１２ｃ、および、背面側の左右両端部近傍の上方（上ハーフ１１側）に突出する円柱状のリブの中心を下ハーフ１２を貫通して穿孔されるビス孔１２ｉ，１２ｉを有する。また、両張出部１２ｃには、上方に突出して、磁気テープ１６をガイドする円柱状のリブ１２ｄ，１２ｄが設けられており、さらに両リブ１２ｄの中心には、下ハーフ１２を貫通して穿孔されたビス孔１２ｊ，１２ｊが形成される。この左右の両張出部１２ｃ，１２ｃの間の空間は、カートリッジ１０が装填されるデッキ側にもうけられている、いわゆるテープローデイ　ング装置が進入するための空間である。
【００１１】
図示例のカートリッジにおいては、４本のビスが、下ハーフ１２のビス孔１２ｉ，１２ｉおよびビス孔１２ｊ，１２ｊを下方から挿通し、上ハーフ１１内面の対応位置に螺合することにより、上ハーフ１１と下ハーフ１２とを組み合わせたカートリッジケースが固定される。
さらに、下ハーフ底面１２ａの前面側、すなわち、このテープローデイング装置が進入するための空間に面する側（磁気テープを露出する側）において、下ハーフ１２の底面１２ａには、両張出部１２ｃの間の空間に対面して、これに垂直に、２つの割筒型のリブを連続してハの字状に設けた壁状の部材（リールエリアリブ）１２ｅ　が立設されている。この部材１２ｅは、磁気テープ１６を巻回した巻取ハブ１４ａ，１４ｂ（磁気テープ１６の巻き玉）の遊動を防止するもので、この部材１２ｅ　のハの字状の湾曲部は、巻取ハブ１４ａ、１４ｂに巻回された磁気テープ１６が置かれた場合に、この磁気テープ巻き玉の外周、すなわち、最大巻き径の周に沿うような形状となっている。また、部材１２ｅ　の前方の、この部材１２ｅによって三角形状に区切られた底板１２ａの部分１２ｆの中央部には、底面１２ａに垂直に柱状のリブ１２ｇが立設されている。この柱状のリブ１２ｇと部材１２ｅとの間に、スライダ２０を前方へ付勢するための板バネ（スライダばね）２６が嵌め込まれる。また、下ハーフ１２の周囲側壁には、磁気テープ１６の巻き玉と干渉しないように、磁気テープ巻き玉の外周、すなわち、最大巻き径の周に合わせて円弧状の凹部１２ｋが設けられている。そして、これらの凹部１２ｋおよび部材１２ｅ　等によってリールエリア（の内壁）が形成される。さらに、下ハーフ１２の底板１２ａの背面側（後方）には、肉盗み溝として溝部１２ｈが形成されている。
【００１２】
前述のように、スライダ２０は、下ハーフ１２の下面に摺接して（底面１２ａに下側から接して）前後方向に移動（摺動）するが、前方に位置するときは、防塵のため、下ハーフ１２の前面側のテープローディング装置が進入するための両張出部１２ｃの間の空間およびリール軸挿入孔１２ｂを、スライダ２０の底面２０ａにより塞ぐようになっている。また、スライダ２０が後方に位置するときは、テープローディング装置が進入するための両張出部１２ｃの間の空間を開放するとともに、スライダ２０の底板２０ａに設けられた２つの孔２０ｂ，２０ｂがリール軸挿入孔１２ｂ，１２ｂと一致し、デッキ側のリール軸が挿入可能となるようになっている。さらに、スライダ２０には、板ばね２６の付勢力を受けるために、底面２０ａの前方、すなわち前面側の端部近傍に、上方に垂直な壁状のリブ２０ｃが設けられ、前述の下ハーフ１２に設けられた板バネ２６が当接している。すなわち、スライダ２０は、この板バネ２６によって前方の位置に固定されるように付勢されている。
【００１３】
スライダ２０は、カートリッジ１０がデッキに装着された際には、デッキ内の装置の作用により自動的に後方に位置されるが、カートリッジ非使用時には、この板バネ２６の作用によって前方に移動して位置され、前述のように、両張出部１２ｃの間の空間およびリール軸挿入孔１２ｂを閉塞する。
【００１４】
図３は図２に示す磁気テープカセットの下ハーフに非接触式メモリが取り付けられた例である。図において、下ハーフ１２の底板１２ａの背面側（後方）に形成される溝部１２ｈには、本発明で用いられる非接触式メモリ（以下、カセットメモリという）５６が、挿入・保持されている。カセットメモリ５６は、前述のように、デッキ側の送受信手段から電磁誘導方式や静電方式を利用して、デッキ側の送受信手段から駆動電流を得、信号（データ）の送受信を行うアンテナ部と、信号の記憶や信号の供給（読取・書込）等の信号処理を行うＩＣ部（ＩＣメモリ）とを有し、デッキ側の信号の記録読取手段（その信号の送受信手段）との間で、カセットの情報やカセットの記録内容に関する情報等を送受信する。
【００１５】
図においては、カセットメモリ５６は、図４（ａ）に示されるように、略矩形の基板の一端部にＩＣチップ化されたＩＣメモリからなるＩＣ部５７が形成され、ＩＣ部５７を囲むように基板の外縁部にデータ通信用アンテナ部５８が形成され、一枚の基板に、一体的にＩＣ部５７とアンテナ部５８とが形成されてなるものである。このように、図示例のカセットメモリ５６は、略矩形の板状の部材であって、少なくとも、その一端部にアンテナ部５８に囲まれるように配置されたＩＣ部５７は樹脂で封入されている。カセットメモリ５６は上記構成および形状には限定されず、例えば、図４（ｂ）に示されるように、ＩＣ部５７とアンテナ部５８とが別体とされている、すなわちＩＣ部５７が形成された基板とは別体にアンテナ部５８が形成されたものであっても良い。
【００１６】
記録媒体カセットについて、磁気テープカセットを例に詳細に説明したが、本発明は、上述の例には限定されず各種の改良や変更を行ってもよいのはもちろんである。例えば、上述の記録媒体カセットでは、下ハーフ内にメモリを保持したが、これに限定はされず、カセットケースの外部、上ハーフや前蓋等の別の部材に非接触式メモリを保持してもよく、あるいは、複数の部材でメモリを保持してもよい。また、以上の例は、カセット内に磁気テープを巻回する一対の巻取ハブを収容する磁気テープカセットであるが、本発明は、これに限定されず、１リール方式の磁気テープカセット、磁気ディスク、光学記録媒体等の記録媒体カセットにも好適に利用可能である。
【００１７】
本発明の適用対象としては、図２に示すように、平板状の四角形を有する下ハーフとこの下ハーフと相似の平面形状を有し、下ハーフの上部に重ね合わされる上ハーフとが、四隅部で互いにビス等の結合手段で結合されている、扁平な硬質プラスチック製のカセットケース内に、一対の回転可能な巻取ハブ間に巻き回された磁気テープが収容されている２リール方式の磁気テープカセットを挙げることができる。
【００１８】
次に、本発明が適用される非接触メモリを使用した他の例として、ビデオテープカセットへの適用例を示す。図５は本発明が適用されるビデオカセットの一例を示す斜視図である。同図において、カセットラベル５０は、記録媒体カセットとしてのビデオテープカセット（以下、単にビデオカセットという）４０の背面に背ラベルとして取り付けられるものであって、このビデオカセット４０に記録したデータ（ビデオデータ）に関して、記録時期やその内容などの情報を容易に確認できるようにしておくために用いられるものである。
このような目的を達成するには、ビデオカセット４０の背面に背ラベルとして取り付けられる従来のカセットラベルにおいては、カセットラベル上に、筆記または印字などで記録していたが、近年では前述のようなＩＣチップおよびアンテナ部を含む非接触式メモリ（ＩＣメモリ）であるカセットメモリなどが、従来のカセットラベル中に埋め込まれ、筆記などによる記録に加えて、このカセットメモリへの非接触式の磁気的記録を行なっている。
【００１９】
カセットラベル５０としては、図６に示すように、カセットメモリ５６を埋め込んだものが用いられるが、例えば、カセットラベル５０の中に、情報記憶および信号処理を行うＩＣ部５７、電力の供給を受け、情報の送受信を行うアンテナ部５８およびこの両者を接続するリード線５９を埋設した形に形成されているものが用いられる。このカセットラベル５０を基体として見た場合、ラベル本体５２とその下面に貼接された両面接着テープ５４とから構成されている。
【００２０】
アンテナ部５８については、アンテナの形状、すなわち、コイル状のアンテナの線幅よりも少し広めの枠状の印刷（アンテナ部保護表示）を行ってあり、この枠の内側が一つの情報記載欄、すなわち情報記載エリアであることを強調する構成となっている。この情報記載欄であることを強調する方法としては、ここに、例えば、記録（放送）年月日，タイトルなどの記載項目を印刷しておく方法がある。
【００２１】
このカセットラベル５０を貼接したビデオカセット４０を記録再生装置にセットして、この記録再生装置に設けられている書込・読出手段により、上記カセットラベル５０内のカセットメモリ５６と記録再生装置のデータ読取・書込装置との間で、データ送受信を行うことができるようになる。
このように、ＩＣメモリ等の情報記憶および信号処理部と信号の送受信を行うアンテナ部とを有する非接触式メモリを搭載する記録媒体カセットにおいて、非接触式メモリの誤動作や不適正な信号の送受信が生じることがなく、デッキと記録媒体カセット（非接触式メモリ）との信号の送受信を、安定して、適正に行うことができる。
【００２２】
【発明が解決しようとする課題】
ところが上記非接触式メモリ内蔵記録媒体カセットの場合、アンテナの設置箇所が、上記のように図３の磁気テープカセットにあっては下ハーフ１２であり、図６のビデオカセットにあってはカセットラベル５０であり、いずれも設置箇所の面積が狭く、したがってアンテナコイルの長さを十分にとることができず、したがって磁気情報の記録再生装置側の信号送信手段であるアンテナから出力された信号を電磁誘導で確実に受信するには十分とは言えなかった。
本発明は上記課題を解決するもので、本発明の課題は、記録媒体カセットがアンテナコイルの敷設面積を十分に有しなくても、アンテナコイルの敷設面積を十分に広く取ることのできる非接触式メモリ内蔵記録媒体カセットを提供することにある。
【００２３】
【課題を解決するための手段】
上記課題を解決するため、請求項１記載の記録媒体カセットの発明は、記録媒体が収容された記録媒体カセットであって、情報記憶および信号処理を行うＩＣ部を有する非接触式メモリを備えた記録媒体カセットにおいて、当該記録媒体カセットとは別体に設けられたアンテナ部の送受信信号を授受する端子を備えたことを特徴とする。
【００２４】
そして、請求項２記載のカセットケースの発明は、記録媒体が収容されかつ情報記憶および信号処理を行うＩＣ部を有する非接触式メモリを備えた記録媒体カセットを収容するためのカセットケースにおいて、前記アンテナ部と、該アンテナ部の送受信信号を授受する端子とを備えたことを特徴とする。
【００２５】
以上の構成により、記録媒体カセットよりもそれを収容するカセットケースの方が寸法が大きいから、カセットケースの方にアンテナ部を置いたほうがアンテナの敷設面積が広くとれるので、記録再生装置側との間でクリアな送受信が可能となる。
【００２６】
【発明の実施の形態】
以下、本発明の実施の形態について図面に基づいて詳細に説明する。
図１は本発明の実施の形態に係る非接触式メモリ内蔵記録媒体カセットとそれを収納するカセットケースを示す斜視図である。
図において、１０は記録媒体が収容された記録媒体カセット、６０はこの記録媒体カセット１０を収容するためのカセットケースである。
記録媒体カセット１０には従来例で説明したのと同じＩＣ部５７とリード線５９とが埋設されている。リード線５９の先端にはそれぞれ端子５９Ｔ１が形成され、この端子５９Ｔ１は記録媒体カセット１０に露出している。
【００２７】
一方、カセットケース６０には従来例で説明したアンテナ部と比べて格段に長いアンテナ部５８が埋設されている。そして、アンテナ部５８の両端部にそれぞれ端子５９Ｔ２が形成され、これはカセットケース６０の内部に露出している。端子５９Ｔ２の露出箇所は、記録媒体カセット１０がカセットケース６０内に収容された状態で、記録媒体カセット１０に設けられた端子５９Ｔ１がカセットケース６０内で触れる位置に置かれている。
【００２８】
このような構成によって、記録媒体カセット１０がカセットケース６０内に収容された状態では、自動的に記録媒体カセット１０の端子５９Ｔ１がカセットケース６０の端子５９Ｔ２と接触している状態になる。したがってカセットケース６０内に埋設されているアンテナ部５８が端子５９Ｔ２と端子５９Ｔ１を介して記録媒体カセット１０のＩＣ部５７に接続されているので、アンテナ部５８の送受信信号がＩＣ部５７に授受されることとなる。
【００２９】
このように本発明によれば、アンテナ部５８の設置面積は、従来例のアンテナ設置箇所である下ハーフ１２（図３）のような狭いところではなくて、面積の広いカセットケース６０の面、それも広い面上に設置されることが可能となるので、アンテナの長さを十分に長くとることができる。
アンテナコイルの感度はアンテナコイルの長さに依存するから、このようにすることにより磁気情報の記録再生装置側の信号送信手段であるアンテナから出力された信号は少々離れた位置からでも効率よくＩＣ部側で受信することができ、また、逆にＩＣ部側から記録再生装置側へ効率よく送信することができるようになる。
【００３０】
記録再生装置側とＩＣ部５７との信号の授受は、通常、記録媒体カセット１０がカセットケース６０内に収容された状態で行われるものであることに本発明は着目して成されたものであり、アンテナコイルを長くすることによって従来装置では得られなかった記録再生装置側とＩＣ部５７とクリアな送受信が可能となる。
【００３１】
アンテナ部５８はカセットケース６０の上面側、底面側、側面側のいずれに敷設されてもよいが、面積の大きい面に設けるのが好ましい。
また、カセットケース６０の表面又は裏面のどちらに設けてもよい。ただし表面又は裏面の場合、記録媒体カセット１０との摩擦により剥離しないように、薄く表面コーティングしておくことが好ましい。また、表面と裏面の中間に埋設してもよい。
端子の設置場所は記録媒体カセット１０の挿入方向の入り口側、奥側のいずれに設置してもよいが、対摩耗性の点から見ると奥側のほうが好ましい。
【００３２】
しかもカセットケース６０に埋設されたアンテナ部５８は全てのＩＣ部に共通の規格でよいから、記録媒体カセット１０が別のカセットケース６０に収容されても、全く同様に動作をすることができる。
【００３３】
以上は、図３の磁気テープカセットの例で説明したが、本発明はこれに限定されるものではなく、図６のビデオカセットにおいても同じように実施することができることはいうまでもない。
さらに、単一のリールに磁気テープを巻装してカセット内に回転自在に収容した１リールタイプのもの、カセット内に単一の磁気（または光）ディスクが回転可能に収容されたタイプのもの等であっても、それがカセットケースに収容された状態で保管されるのであれば、これらにおいても同じように実施することができる。
【００３４】
【発明の効果】
以上のように、本発明によれば、記録媒体カセット側には、ＩＣ部と、別体設置のアンテナ部の送受信信号を授受する端子とを備えるようにし、またその記録媒体カセットを収容するカセットケース側には、アンテナ部と、このアンテナ部の送受信信号を授受する端子とを備えるようにしたので、アンテナコイルの長さを十分に長くとることができ、したがって従来装置では得られなかった記録再生装置側とＩＣ部５７とクリアな送受信が可能となる。
【図面の簡単な説明】
【図１】本発明の実施の形態に係る非接触式メモリ内蔵記録媒体カセットとそれを収納するカセットケースを示す斜視図である。
【図２】本発明が適用される磁気テープカセットの一例の概略分解斜視図である。
【図３】図２に示す磁気テープカセットに非接触式メモリが取り付けられた下ハーフの一例の概略分解斜視図である。
【図４】（ａ）および（ｂ）は、それぞれ図３に示す磁気テープカセットに配置される非接触式メモリの一実施例の概念的な平面図である。
【図５】本発明が適用されるビデオカセットの一例を示す斜視図である。
【図６】図５に用いられるカセットラベルの一例の基本構成を示す斜視図である。
【符号の説明】
１０　記録媒体カセット
５０　カセットラベル
５２　ラベル本体
５４　両面接着テープ
５６　カセットメモリ
５７　ＩＣ部
５８　アンテナ部
５９　リード線
５９Ｔ１　記録媒体カセット側端子
５９Ｔ２　カセットケース側端子
６０　カセットケース
【図１】
2004103082.tif 000003
【図２】
2004103082.tif 000004
【図３】
2004103082.tif 000005
【図４】
2004103082.tif 000006
【図５】
2004103082.tif 000007
【図６】
2004103082.tif 000008